(57)【要約】      （修正有）【課題】押しボタンを押し下げたときに液体を吸引し得るピペットを提供する。【解決手段】ピペットは、下端にチップ６を着脱自在に取付けられるノズル部５を下方に一体的に有する筒形ボデー２と、該ボデーに対して上下動自在に配された押ボタン１１と、該ボデーの内部で該ボデーに対して固着されたプランジャ７と、上部の第１筒形部１３ａ及び下部の第２筒形部１３ｂを有し、該押ボタンと一体的に上下動可能に配された筒形部材１３であって、該第１筒形部が該プランジャ外周にシール的に且つ軸方向可動に嵌合され且つ該第２筒形部が前記ノズル部内周にシール的に且つ軸方向可動に嵌合され、これにより該筒形部材の内部に第１の室４１を画定し、且つ該ノズル部の内部に第２の室４２を画定する前記筒形部材と、押ボタン及び前記筒形部材を上方へ付勢する弾性手段９、１４とを具備する。【選択図】図１
2011000490.tif 000002
【特許請求の範囲】
【請求項１】
ピペットにおいて、
下端にチップ（６）を着脱自在に取付けられるノズル部（５）を下方に一体的に有する筒形ボデー（２）と、
該ボデー（２）に対して上下動自在に配された押ボタン（１１）と、
該ボデー（２）の内部で該ボデー（２）に対して固着されたプランジャ（７）と、
上部の第１筒形部（１３ａ）及び下部の第２筒形部（１３ｂ）を有し、該押ボタン（１１）と一体的に上下動可能に配された筒形部材（１３）であって、該第１筒形部（１３ａ）が該プランジャ（７）外周にシール的に且つ軸方向可動に嵌合され且つ該第２筒形部（１３ｂ）が前記ノズル部（５）内周にシール的に且つ軸方向可動に嵌合され、これにより該筒形部材（１３）の内部に第１の室（４１）を画定し、且つ該ノズル部（５）の内部に第２の室（４２）を画定する前記筒形部材（１３）と、
押ボタン（１１）及び前記筒形部材（１３）を上方へ付勢する弾性手段（９、１４）とを具備し、
前記チップ（６）下端を流動体に浸した状態で、押ボタン（１１）を弾性手段（９、１４）に抗して所定位置から下限位置まで所定寸法だけ押し下げることにより、前記筒形部材（１３）が押ボタン（１１）と一体的に下動して前記プランジャ（７）が前記第１の室（４１）から相対的に退出し且つ第２筒形部（１３ｂ）が第２の室（４２）内に相対的に進入することにより、前記第１の室（４１）が所定位置容積（Ｖ１１）から下限位置容積（Ｖ２１）まで増大変動し、且つ前記第２の室（４２）が所定位置容積（Ｖ１２）から下限位置容積（Ｖ２２）まで減少変動し、これにより第１及び第２の室（４１、４２）の合計所定位置容積（Ｖ１＝Ｖ１１＋Ｖ１２）と第１及び第２の室（４１、４２）の合計下限位置容積（Ｖ２＝Ｖ２１＋Ｖ２２）との間にＶ２＞Ｖ１の関係があって、第１及び第２の室（４１、４２）の合計容積が増大して減圧されることにより、前記チップ（６）内に流動体を所定容量（Ｖ２―Ｖ１）に相当するだけ吸引することを特徴とする、ピペット。
【請求項２】
請求項１に記載のピペットにおいて、
押ボタン（１１）の前記下限位置において、前記チップ（６）下端を流動体から離した状態で押ボタン（１１）の押し下げ力を解放して、押ボタン（１１）及び前記筒形部材（１３）を前記弾性手段（９、１４）により前記下限位置から前記所定位置まで一体的に上動復帰させることにより、
前記プランジャ（７）が前記第１の室（４１）内へ相対的に進入し且つ前記第２筒形部（１３ｂ）が前記第２の室（４２）内で相対的に退出することにより、前記第１の室（４１）が前記下限位置容積（Ｖ２１）から所定位置容積（Ｖ１１）まで減少し、且つ前記第２の室（４２）が前記下限位置容積（Ｖ２２）から所定位置容積（Ｖ１２）まで増大し、これにより第１及び第２の室（４１、４２）の合計下限位置容積（Ｖ２＝Ｖ２１＋Ｖ２２）と合計所定位置容積（Ｖ１＝Ｖ１１＋Ｖ１２）との間にＶ１＜Ｖ２の関係があって、第１及び第２の室（４１、４２）の合計容積が小さくなって増圧されることにより、前記チップ（６）から流動体を最大限所定容量（Ｖ２―Ｖ１）に相当する量だけ排出することを特徴とする、ピペット。
【請求項３】
請求項２に記載のピペットにおいて、
押ボタン（１１）の移動位置は、前記所定位置の初期寸法（ａ１）だけ上方に更に初期位置が設定されており、
最初に、押ボタン（１１）を第２の弾性手段（１４）に抗して初期位置から前記初期寸法ａ１だけ所定位置まで押し下げることにより、前記筒形部材（１３）が押ボタン（１１）と一体的に下動して前記プランジャ（７）が前記第１の室（４１）から相対的に退出し且つ第２筒形部（１３ｂ）が第２の室（４２）内に相対的に進入することにより、前記第１の室（４１）が初期位置容積（Ｖ０１）から所定位置容積（Ｖ１１）まで増大変動し、且つ前記第２の室（４２）が初期位置容積（Ｖ０２）から所定位置容積（Ｖ１２）まで減少変動し、これにより第１及び第２の室（４１、４２）の合計初期位置容積（Ｖ０＝Ｖ０１＋Ｖ０２）と合計所定位置容積（Ｖ１＝Ｖ１１＋Ｖ１２）との間にＶ１＞Ｖ０の関係があって、第１及び第２の室（４１、４２）の合計容積が増大して減圧されることにより、前記チップ（６）内に空気を所定容量（Ｖ１―Ｖ０）だけ吸引し、
その後に前記チップ（６）下端を流動体に浸した状態で、前述のようにＶ１からＶ２に容積を変化させることで、前記チップ（６）内に流動体を所定容量（Ｖ２―Ｖ１）に相当するだけ吸引し、
続いて、押ボタン（１１）が前記下限位置から所定位置を経由して更に初期値まで上動復帰したとき、前記チップ（６）内から流動体が所定容量（Ｖ２―Ｖ１）に相当する量だけ排出されるのに続いて、前記所定容量（Ｖ１―Ｖ０）の空気を排出してチップ（６）内に残留した流動体を、余裕をもって排出することを特徴とする、ピペット。
【請求項４】
請求項１乃至３の何れかに記載のピペットにおいて、
前記筒形部材（１３）の第１筒形部（１３ａ）の内径をｄ１、第２筒形部（１３ｂ）の外径をｄ２、内径をｄ３としたとき、次式が成立するピペット。
ｄ１２＞ｄ２２−ｄ３２・・・・・（１）
【請求項５】
ピペットにおいて、
下端にチップ（６）を着脱自在に取付けられるノズル部（５）を下方に一体的に有する筒形ボデー（２）と、
該ボデー（２）に対して第一の弾性手段（１４）により上方へ付勢されて上下動自在に配された押ボタン（１１）と、
該ボデー（２）の内部で、該第一の弾性手段（１４）より大なる弾性力を有する第二の弾性手段（９）により上方へ付勢されて上下動自在に収納されたプランジャ（１７）と、
上部の第１筒形部（１３ａ）及び下部の第２筒形部（１３ｂ）を有し、該押ボタン（１１）と一体的に上下動可能に配された筒形部材（１３）であって、該第１筒形部（１３ａ）が該プランジャ（１７）外周にシール的に且つ軸方向可動自在に嵌合され且つ該第２筒形部（１３ｂ）が前記ノズル部（５）内周にシール的に且つ軸方向可動自在に嵌合され、これにより該筒形部材（１３）の内部に第１の室（５１）を画定し、且つ該ノズル部（５）の内部に第２の室（５２）を画定する前記筒形部材（１３）とを具備し、
前記チップ（６）下端を流動体に浸した状態で、押ボタン（１１）を第一の弾性手段（１４）に抗して該プランジャ（１７）を移動させないままで、初期位置から前記プランジャ（１７）に当接する所定位置まで所定の初期寸法だけ押し下げることにより、前記筒形部材（１３）が押ボタン（１１）と一体的に下動して前記プランジャ（１７）が前記第１の室（５１）内から相対的に退出し且つ前記第２筒形部（１３ｂ）が前記第２の室（５２）内へ相対的に進入することにより、前記第１の室（５１）が初期位置容積（Ｖ３１）から所定位置容積（Ｖ４１）まで増大し、且つ前記第２の室（５２）が初期位置容積（Ｖ３２）から所定位置容積（Ｖ４２）まで減少し、これにより第１及び第２の室（５１、５２）の合計初期位置容積（Ｖ３＝Ｖ３１＋Ｖ３２）と第１及び第２の室（５１、５２）の合計所定位置容積（Ｖ４＝Ｖ４１＋Ｖ４２）との間にＶ４＞Ｖ３の関係があって、第１及び第２の室（５１、５２）の合計容積が大きくなって減圧されることにより、前記チップ（６）内に流動体を所定容量（Ｖ４―Ｖ３）に相当する量だけ吸引することを特徴とする、ピペット。
【請求項６】
請求項５に記載のピペットにおいて、
押ボタン（１１）を初期位置から所定位置まで前記初期寸法だけ押し下げたときに前記プランジャ（１７）に当接し、押ボタン（１１）を更に前記所定位置から下限位置まで前記第二の弾性手段（９）に抗して更に所定寸法だけ押し下げることにより、前記筒形部材（１３）及びプランジャ（１７）が押ボタン（１１）と一体的に下動して、前記プランジャ（１７）が前記第１の室（５１）に対して相対的に移動せず且つ前記第２筒形部（１３ｂ）が前記第２の室（５２）内へ相対的に進入することにより、前記第１の室（５１）が所定容積（Ｖ４１）が変動後容積（Ｖ５１）と同一であり、且つ前記第２の室（５２）が所定容積（Ｖ４２）から変動後容積（Ｖ５２）まで減少変動し、これにより第１及び第２の室（５１、５２）の所定位置合計容積（Ｖ４＝Ｖ４１＋Ｖ４２）と下限位置合計容積（Ｖ５＝Ｖ５１＋Ｖ５２）との間にＶ５＜Ｖ４の関係があって、第１及び第２の室（５１、５２）の容積が減少して増圧されることにより、前記チップ（６）内の流動体および空気が所定容量（Ｖ４―Ｖ５）に相当する量だけ排出されることを特徴とする、ピペット。
【請求項７】
請求項５又は６に記載のピペットにおいて、
前記筒形部材（１３）の第１筒形部（１３ａ）の内径をｄ１、第２筒形部（１３ｂ）の外径をｄ２、内径をｄ４としたとき、次式が成立するピペット。
ｄ１２＞ｄ２２−ｄ４２・・・・・（２）
【請求項８】
ピペットにおいて、
下端にチップ（６）を着脱自在に取付けられるノズル部（５）を下方に一体的に有する筒形ボデー（２）と、
該ボデー（２）に対して第一の弾性手段（１４）により上方へ付勢されて上下動自在に配された押ボタン（１１）と、
該ボデー（２）の内部で該ボデー（２）に対して固着された第１のプランジャ（２７）と、
該ボデー（２）の内部で第二の弾性手段（９）により上方へ付勢されて上下動自在に且つ前記第１のプランジャ（２７）内にシール的に且つ軸方向可動に挿入された第２のプランジャ（２８）と、
上部の第１筒形部（１３ａ）及び下部の第２筒形部（１３ｂ）を有し、該押ボタン（１１）と一体的に上下動可能に配された筒形部材（１３）であって、該第１筒形部（１３ａ）が該第１のプランジャ（２７）外周にシール的に且つ軸方向可動に嵌合され且つ該第２筒形部（１３ｂ）が前記ノズル部（５）内周にシール的に且つ軸方向可動に挿入され、これにより該筒形部材（１３）内部に第１の室（６１）を画定し、且つ該ノズル部（５）の内部に第２の室（６２）を画定し、且つ該第１のプランジャ（２７）内部に第３の室（６３）を画定する前記筒形部材（１３）とを具備し、
前記チップ（６）下端を流動体に浸した状態で、押ボタン（１１）を第一の弾性手段（１４）に抗して初期位置から前記第２のプランジャ（２８）に当接する所定位置まで所定の初期寸法だけ押し下げることにより、前記筒形部材（１３）が押ボタン（１１）と一体的に下動して、前記第１及び第２のプランジャ（２７、２８）は相対的に移動しないことにより前記第３の室（６３）の容積（Ｖ６３＝Ｖ７３）は変動しない条件下で、前記第１のプランジャ（２７）が前記第１の室（６１）内から相対的に退出し且つ前記第２筒形部（１３ｂ）が前記第２の室（６２）内へ相対的に進入することにより前記第１の室（６１）が当初容積（Ｖ６１）から変動後容積（Ｖ７１）まで増大し、且つ前記第２の室（６２）が当初容積（Ｖ６２）から変動後容積（Ｖ７２）まで減少し、これにより第１及び第２の室（６１、６２）の合計初期位置容積（Ｖ６＝Ｖ６１＋Ｖ６２＋Ｖ６３）と第１及び第２の室（６１、６２）の合計所定位置容積（Ｖ７＝Ｖ７１＋Ｖ７２＋Ｖ７３）との間にＶ７＞Ｖ６の関係があって、第１及び第２の室（６１、６２）の合計容積が増大して減圧されることにより、前記チップ（６）内に流動体を所定容量（Ｖ７―Ｖ６）に相当する量だけ吸引することを特徴とする、ピペット。
【請求項９】
請求項８に記載のピペットにおいて、
押ボタン（１１）を初期位置から所定位置まで前記初期寸法だけ押し下げたときに前記第２のプランジャ（２８）に当接し、
押ボタン（１１）を更に前記所定位置から下限位置まで更に所定寸法だけ押し下げることにより、
前記筒形部材（１３）及び第２のプランジャ（２８）が押ボタン（１１）と一体的に下動して、前記第１プランジャ（２７）が前記第１の室（６１）から相対的に退出し且つ前記第２筒形部（１３ｂ）が前記第２の室（６２）内へ相対的に進入し且つ前記第２のプランジャ（２８）が前記第３の室（６３）に対して相対的に進入することにより、前記第１の室（６１）が所定容積（Ｖ７１）から変動後容積（Ｖ８１）まで増大変動し且つ前記第２の室（６２）が所定容積（Ｖ７２）から変動後容積（Ｖ８２）まで減少変動し且つ前記第３の室（６３）が所定容積（Ｖ７３）から変動後容積（Ｖ８３）まで減少変動し、これにより第１乃至第３の室（６１、６２、６３）の合計所定位置容積（Ｖ７＝Ｖ７１＋Ｖ７２＋Ｖ７３）と第１乃至第３の室（６１、６２、６３）の合計下限位置容積（Ｖ８＝Ｖ８１＋Ｖ８２＋Ｖ８３）との間にＶ８＜Ｖ７の関係があって、第１乃至第３の室（６１、６２、６３）の合計容積が減少して増圧されることにより、前記チップ（６）内の流動体および空気が所定容量（Ｖ８―Ｖ７）に相当する量だけ排出されることを特徴とする、ピペット。
【請求項１０】
請求項８又は９に記載のピペットにおいて、
前記筒形部材（１３）の第１筒形部（１３ａ）の内径をｄ５、第２筒形部（１３ｂ）の外径をｄ２、内径をｄ４とし、且つ前記第１プランジャ（２７）の内径をｄ６としたとき、次式が成立する。
ｄ６２＋ｄ２２−ｄ４２＞ｄ５２＞ｄ２２−ｄ４２・・・・・（３）
【請求項１１】
請求項１乃至１０の何れかに記載のピペットにおいて、
前記筒形ボデー（２）に対して上下動調整自在に配設された容量調整部材（１０）を更に備え、押ボタン（１１）が弾性手段（１４）により付勢されて前記容量調整部材（１０）に当接しており、前記容量調整部材（１０）の位置を調整することにより、流動体の吸引量を微調整可能であるピペット。
【発明の詳細な説明】
【技術分野】
【０００１】
本発明は押ボタンを押し下げたときに液体等を吸引し得るピペットに関する。
【背景技術】
【０００２】
従来のピペットでは、殆どの場合、筒形ボデー下端のノズル部に装着したチップを液体に浸さない状態で、最初に押ボタンを下限位置まで押し下げてこれと一体のプランジャを筒形ボデーと一体のシリンダ内を下限位置まで最大ストロークだけ下動させて、シリンダ内の空気を一旦排出する。この状態でチップ下端を液体に浸して押ボタンの押圧力を解放するとプランジャがバネ力により所定ストロークだけ上動復帰してシリンダ内に上記排出された空気の量に見合った量の液体を吸引する。続いて、押ボタンを逐次任意寸法だけ押し下げるとシリンダ内の液体がその都度逐次排出される。
【０００３】
しかしながら、上記従来例によれば、液体の吸引容量は、プランジャがバネ力により上動復帰するストロークに依存するが、その際に作業者は押ボタンに対する押圧力を徐々に緩めて或る位置で停止しなければならない。しかるに、液体の吸引時に一般に押圧力を徐々に緩めて或る位置で停止させる作業を微妙に手動制御するのは困難であり、吸引動作の微少調整を行うことが難しかった。
【０００４】
これを解決するための従来例の一例として、特開平６−７６８８号がある。これによれば、一対の上下方向に長寸法のラック５及び１３が夫々ギア１６に噛合して対向し、且つ一方のラック５にピストン３が固着されており、他方のラック１３を押し下げたときにギア１６を介して一方のラック５がピストン３と共に上動してシリンダ４内に液体を吸引し、次いでレバー９を押し下げることによりラック５がピストン３と共に下動し液体を排出する。
【０００５】
しかるに、この従来例によれば、上下方向に下動する１対の並列部材（長寸法のラック）を有するため、ピペットの幅寸法が大きくなり大型化するという問題点があり、また上記一方のラック５とピストン３とは同軸状態ではないので可動時に曲げモーメントが発生するという問題点があり、またラックとギアとの噛み合いはバックラッシュ等に起因して時間と共に噛み合いガタを生じ易く円滑な動作が妨げられるという問題点があった。
【特許文献１】特開平６−７６８８号
【発明の概要】
【発明が解決しようとする課題】
【０００６】
本発明の目的は、押ボタンを押し下げたときに液体等を吸引することができて、吸引動作の微少調整を行うことができ、且つプランジャとノズル部（シリンダに相当）との間に、該プランジャ及びノズル部に対して夫々同軸的に嵌合する筒形部材を設けて、押ボタン及び筒形部材の円滑な上下動動作を行い得るピペットを提供することである。
【課題を解決するための手段】
【０００７】
上記課題を解決するための本発明の構成は、ピペットにおいて、
下端にチップ（６）を着脱自在に取付けられるノズル部（５）を下方に一体的に有する筒形ボデー（２）と、
該ボデー（２）に対して上下動自在に配された押ボタン（１１）と、
該ボデー（２）の内部で該ボデー（２）に対して固着されたプランジャ（７）と、
上部の第１筒形部（１３ａ）及び下部の第２筒形部（１３ｂ）を有し、該押ボタン（１１）と一体的に上下動可能に配された筒形部材（１３）であって、該第１筒形部（１３ａ）が該プランジャ（７）外周にシール的に且つ軸方向可動に嵌合され且つ該第２筒形部（１３ｂ）が前記ノズル部（５）内周にシール的に且つ軸方向可動に嵌合され、これにより該筒形部材（１３）の内部に第１の室（４１）を画定し、且つ該ノズル部（５）の内部に第２の室（４２）を画定する前記筒形部材（１３）と、
押ボタン（１１）及び前記筒形部材（１３）を上方へ付勢する弾性手段（９、１４）とを具備し、
前記チップ（６）下端を流動体に浸した状態で、押ボタン（１１）を弾性手段（９、１４）に抗して所定位置から下限位置まで所定寸法だけ押し下げることにより、前記筒形部材（１３）が押ボタン（１１）と一体的に下動して前記プランジャ（７）が前記第１の室（４１）から相対的に退出し且つ第２筒形部（１３ｂ）が第２の室（４２）内に相対的に進入することにより、前記第１の室（４１）が所定位置容積（Ｖ１１）から下限位置容積（Ｖ２１）まで増大変動し、且つ前記第２の室（４２）が所定位置容積（Ｖ１２）から下限位置容積（Ｖ２２）まで減少変動し、これにより第１及び第２の室（４１、４２）の合計所定位置容積（Ｖ１＝Ｖ１１＋Ｖ１２）と第１及び第２の室（４１、４２）の合計下限位置容積（Ｖ２＝Ｖ２１＋Ｖ２２）との間にＶ２＞Ｖ１の関係があって、第１及び第２の室（４１、４２）の合計容積が増大して減圧されることにより、前記チップ（６）内に流動体を所定容量（Ｖ２―Ｖ１）に相当するだけ吸引することを特徴とする。
【０００８】
好ましくは、押ボタン（１１）の前記下限位置において、前記チップ（６）下端を流動体から離した状態で押ボタン（１１）の押し下げ力を解放して、押ボタン（１１）及び前記筒形部材（１３）を前記弾性手段（９、１４）により前記下限位置から前記所定位置まで一体的に上動復帰させることにより、
前記プランジャ（７）が前記第１の室（４１）内へ相対的に進入し且つ前記第２筒形部（１３ｂ）が前記第２の室（４２）内で相対的に退出することにより、前記第１の室（４１）が前記下限位置容積（Ｖ２１）から所定位置容積（Ｖ１１）まで減少し、且つ前記第２の室（４２）が前記下限位置容積（Ｖ２２）から所定位置容積（Ｖ１２）まで増大し、これにより第１及び第２の室（４１、４２）の合計下限位置容積（Ｖ２＝Ｖ２１＋Ｖ２２）と合計所定位置容積（Ｖ１＝Ｖ１１＋Ｖ１２）との間にＶ１＜Ｖ２の関係があって、第１及び第２の室（４１、４２）の合計容積が小さくなって増圧されることにより、前記チップ（６）から流動体を最大限所定容量（Ｖ２―Ｖ１）に相当する量だけ排出することを特徴とする。
【０００９】
また好ましくは、押ボタン（１１）の移動位置は、前記所定位置の初期寸法ａ１だけ上方に更に初期位置が設定されており、
最初に、押ボタン（１１）を第２の弾性手段（１４）に抗して初期位置から前記初期寸法ａ１だけ所定位置まで押し下げることにより、前記筒形部材（１３）が押ボタン（１１）と一体的に下動して前記プランジャ（７）が前記第１の室（４１）から相対的に退出し且つ第２筒形部（１３ｂ）が第２の室（４２）内に相対的に進入することにより、前記第１の室（４１）が初期位置容積（Ｖ０１）から所定位置容積（Ｖ１１）まで増大変動し、且つ前記第２の室（４２）が初期位置容積（Ｖ０２）から所定位置容積（Ｖ１２）まで減少変動し、これにより第１及び第２の室（４１、４２）の合計初期位置容積（Ｖ０＝Ｖ０１＋Ｖ０２）と合計所定位置容積（Ｖ１＝Ｖ１１＋Ｖ１２）との間にＶ１＞Ｖ０の関係があって、第１及び第２の室（４１、４２）の合計容積が増大して減圧されることにより、前記チップ（６）内に空気を所定容量（Ｖ１―Ｖ０）だけ吸引し、
その後に前記チップ（６）下端を流動体に浸した状態で、前述のようにＶ１からＶ２に容積を変化させることで、前記チップ（６）内に流動体を所定容量（Ｖ２―Ｖ１）に相当するだけ吸引し、
続いて、押ボタン（１１）が前記下限位置から所定位置を経由して更に初期値まで上動復帰したとき、前記チップ（６）内から流動体が所定容量（Ｖ２―Ｖ１）に相当する量だけ排出されるのに続いて、前記所定容量（Ｖ１―Ｖ０）の空気を排出してチップ（６）内に残留した流動体を、余裕をもって排出することを特徴とする。
【００１０】
更に、前記筒形部材（１３）の第１筒形部（１３ａ）の内径をｄ１、第２筒形部（１３ｂ）の外径をｄ２、内径をｄ３としたとき、次式が成立する。
【００１１】
ｄ１２＞ｄ２２−ｄ３２・・・・・（１）
本発明の他の構成は、ピペットにおいて、
下端にチップ（６）を着脱自在に取付けられるノズル部（５）を下方に一体的に有する筒形ボデー（２）と、
該ボデー（２）に対して第一の弾性手段（１４）により上方へ付勢されて上下動自在に配された押ボタン（１１）と、
該ボデー（２）の内部で、該第一の弾性手段（１４）より大なる弾性力を有する第二の弾性手段（９）により上方へ付勢されて上下動自在に収納されたプランジャ（１７）と、
上部の第１筒形部（１３ａ）及び下部の第２筒形部（１３ｂ）を有し、該押ボタン（１１）と一体的に上下動可能に配された筒形部材（１３）であって、該第１筒形部（１３ａ）が該プランジャ（１７）外周にシール的に且つ軸方向可動自在に嵌合され且つ該第２筒形部（１３ｂ）が前記ノズル部（５）内周にシール的に且つ軸方向可動自在に嵌合され、これにより該筒形部材（１３）の内部に第１の室（５１）を画定し、且つ該ノズル部（５）の内部に第２の室（５２）を画定する前記筒形部材（１３）とを具備し、
前記チップ（６）下端を流動体に浸した状態で、押ボタン（１１）を第一の弾性手段（１４）に抗して該プランジャ（１７）を移動させないままで、初期位置から前記プランジャ（１７）に当接する所定位置まで所定の初期寸法だけ押し下げることにより、前記筒形部材（１３）が押ボタン（１１）と一体的に下動して前記プランジャ（１７）が前記第１の室（５１）内から相対的に退出し且つ前記第２筒形部（１３ｂ）が前記第２の室（５２）内へ相対的に進入することにより、前記第１の室（５１）が初期位置容積（Ｖ３１）から所定位置容積（Ｖ４１）まで増大し、且つ前記第２の室（５２）が初期位置容積（Ｖ３２）から所定位置容積（Ｖ４２）まで減少し、これにより第１及び第２の室（５１、５２）の合計初期位置容積（Ｖ３＝Ｖ３１＋Ｖ３２）と第１及び第２の室（５１、５２）の合計所定位置容積（Ｖ４＝Ｖ４１＋Ｖ４２）との間にＶ４＞Ｖ３の関係があって、第１及び第２の室（５１、５２）の合計容積が大きくなって減圧されることにより、前記チップ（６）内に流動体を所定容量（Ｖ４―Ｖ３）に相当する量だけ吸引することを特徴とする。
【００１２】
好ましくは、押ボタン（１１）を初期位置から所定位置まで前記初期寸法だけ押し下げたときに前記プランジャ（１７）に当接し、押ボタン（１１）を更に前記所定位置から下限位置まで前記第二の弾性手段（９）に抗して更に所定寸法だけ押し下げることにより、前記筒形部材（１３）及びプランジャ（１７）が押ボタン（１１）と一体的に下動して、前記プランジャ（１７）が前記第１の室（５１）に対して相対的に移動せず且つ前記第２筒形部（１３ｂ）が前記第２の室（５２）内へ相対的に進入することにより、前記第１の室（５１）が所定容積（Ｖ４１）が変動後容積（Ｖ５１）と同一であり、且つ前記第２の室（５２）が所定容積（Ｖ４２）から変動後容積（Ｖ５２）まで減少変動し、これにより第１及び第２の室（５１、５２）の所定位置合計容積（Ｖ４＝Ｖ４１＋Ｖ４２）と下限位置合計容積（Ｖ５＝Ｖ５１＋Ｖ５２）との間にＶ５＜Ｖ４の関係があって、第１及び第２の室（５１、５２）の容積が減少して増圧されることにより、前記チップ（６）内の流動体および空気が所定容量（Ｖ４―Ｖ５）に相当する量だけ排出されることを特徴とする。
【００１３】
更に、前記筒形部材（１３）の第１筒形部（１３ａ）の内径をｄ１、第２筒形部（１３ｂ）の外径をｄ２、内径をｄ４としたとき、次式が成立する。
【００１４】
ｄ１２＞ｄ２２−ｄ４２・・・・・（２）
本発明の更に他の構成は、ピペットにおいて、
下端にチップ（６）を着脱自在に取付けられるノズル部（５）を下方に一体的に有する筒形ボデー（２）と、
該ボデー（２）に対して第一の弾性手段（１４）により上方へ付勢されて上下動自在に配された押ボタン（１１）と、
該ボデー（２）の内部で該ボデー（２）に対して固着された第１のプランジャ（２７）と、
該ボデー（２）の内部で第二の弾性手段（９）により上方へ付勢されて上下動自在に且つ前記第１のプランジャ（２７）内にシール的に且つ軸方向可動に挿入された第２のプランジャ（２８）と、
上部の第１筒形部（１３ａ）及び下部の第２筒形部（１３ｂ）を有し、該押ボタン（１１）と一体的に上下動可能に配された筒形部材（１３）であって、該第１筒形部（１３ａ）が該第１のプランジャ（２７）外周にシール的に且つ軸方向可動に嵌合され且つ該第２筒形部（１３ｂ）が前記ノズル部（５）内周にシール的に且つ軸方向可動に挿入され、これにより該筒形部材（１３）内部に第１の室（６１）を画定し、且つ該ノズル部（５）の内部に第２の室（６２）を画定し、且つ該第１のプランジャ（２７）内部に第３の室（６３）を画定する前記筒形部材（１３）とを具備し、
前記チップ（６）下端を流動体に浸した状態で、押ボタン（１１）を第一の弾性手段（１４）に抗して初期位置から前記第２のプランジャ（２８）に当接する所定位置まで所定の初期寸法だけ押し下げることにより、前記筒形部材（１３）が押ボタン（１１）と一体的に下動して、前記第１及び第２のプランジャ（２７、２８）は相対的に移動しないことにより前記第３の室（６３）の容積（Ｖ６３＝Ｖ７３）は変動しない条件下で、前記第１のプランジャ（２７）が前記第１の室（６１）内から相対的に退出し且つ前記第２筒形部（１３ｂ）が前記第２の室（６２）内へ相対的に進入することにより前記第１の室（６１）が当初容積（Ｖ６１）から変動後容積（Ｖ７１）まで増大し、且つ前記第２の室（６２）が当初容積（Ｖ６２）から変動後容積（Ｖ７２）まで減少し、これにより第１及び第２の室（６１、６２）の合計初期位置容積（Ｖ６＝Ｖ６１＋Ｖ６２＋Ｖ６３）と第１及び第２の室（６１、６２）の合計所定位置容積（Ｖ７＝Ｖ７１＋Ｖ７２＋Ｖ７３）との間にＶ７＞Ｖ６の関係があって、第１及び第２の室（６１、６２）の合計容積が増大して減圧されることにより、前記チップ（６）内に流動体を所定容量（Ｖ７―Ｖ６）に相当する量だけ吸引することを特徴とする。
【００１５】
好ましくは、押ボタン（１１）を初期位置から所定位置まで前記初期寸法だけ押し下げたときに前記第２のプランジャ（２８）に当接し、
押ボタン（１１）を更に前記所定位置から下限位置まで更に所定寸法だけ押し下げることにより、
前記筒形部材（１３）及び第２のプランジャ（２８）が押ボタン（１１）と一体的に下動して、前記第１プランジャ（２７）が前記第１の室（６１）から相対的に退出し且つ前記第２筒形部（１３ｂ）が前記第２の室（６２）内へ相対的に進入し且つ前記第２のプランジャ（２８）が前記第３の室（６３）に対して相対的に進入することにより、前記第１の室（６１）が所定容積（Ｖ７１）から変動後容積（Ｖ８１）まで増大変動し且つ前記第２の室（６２）が所定容積（Ｖ７２）から変動後容積（Ｖ８２）まで減少変動し且つ前記第３の室（６３）が所定容積（Ｖ７３）から変動後容積（Ｖ８３）まで減少変動し、これにより第１乃至第３の室（６１、６２、６３）の合計所定位置容積（Ｖ７＝Ｖ７１＋Ｖ７２＋Ｖ７３）と第１乃至第３の室（６１、６２、６３）の合計下限位置容積（Ｖ８＝Ｖ８１＋Ｖ８２＋Ｖ８３）との間にＶ８＜Ｖ７の関係があって、第１乃至第３の室（６１、６２、６３）の合計容積が減少して増圧されることにより、前記チップ（６）内の流動体および空気が所定容量（Ｖ８―Ｖ７）に相当する量だけ排出されることを特徴とする。
【００１６】
更に、前記筒形部材（１３）の第１筒形部（１３ａ）の内径をｄ５、第２筒形部（１３ｂ）の外径をｄ２、内径をｄ４とし、且つ前記第１プランジャ（２７）の内径をｄ６としたとき、次式が成立する。
【００１７】
ｄ６２＋ｄ２２−ｄ４２＞ｄ５２＞ｄ２２−ｄ４２・・・・・（３）
更に好ましくは、前記筒形ボデー（２）に対して上下動調整自在に配設された容量調整部材（１０）を更に備え、押ボタン（１１）が弾性手段（１４）により付勢されて前記容量調整部材（１０）に当接しており、前記容量調整部材（１０）の位置を調整することにより、流動体の吸引量を微調整可能である。
【本発明の効果】
【００１８】
（１）請求項１の本発明の上記構成によれば、固定のプランジャ７とノズル部（シリンダに相当）５との間に、押ボタン１１と一体的に上下動し且つプランジャ７及びノズル部５に共通に嵌合する筒形部材１３を設けて、該筒形部材１３及びノズル部５内部に夫々第１及び第２の室４１、４２を画定し、押ボタン１１及び筒形部材１３が一体的に下動したとき、第１及び第２の室４１、４２の合計所定位置（中間位置）容積（Ｖ１）から合計下限位置容積（Ｖ２）へ変動するときに容積が増大して（Ｖ２＞Ｖ１）その分減圧されることにより、チップ６内に流動体を所定容量（Ｖ２―Ｖ１）に相当する量だけ吸引することができる。
【００１９】
即ち、押ボタン１１を押し下げる動作のみにより流動体を吸引できるので、従来例の如く押ボタンの押圧力を徐々に緩めて或る位置で停止させて流動体吸引を行う作業に比して、押ボタン位置を微妙に手動制御でき、手動による吸引動作の微少調整を容易に且つ正確に行い得る。
【００２０】
更に、プランジャ７及び筒形部材１３、プランジャ７及びノズル部（シリンダに相当）５等を同軸的に構成できるので、ピペットの外径を比較的小さくでき構成を小型化し得、且つ従来例の特開平６−７６８８号の如く曲げモーメントが発生するおそれが無くなり、且つラック及びギアの噛み合いに比して上下動の動作が円滑である。
【００２１】
更に、押ボタン１１、筒形部材１３各部材を同軸的に配設し得るから、
（２）請求項２の本発明の上記構成によれば、押ボタン１１の押し下げ力を解放することにより、前記下限位置から前記所定位置（中間位置）まで上動復帰させることにより、第１及び第２の室４１、４２の合計下限位置容積（Ｖ２）が合計所定位置（中間位置）容積（Ｖ１）まで小さくなって（Ｖ１＜Ｖ２）増圧されることにより、前記チップ６から流動体を所定容量（Ｖ２―Ｖ１）に相当する量だけ排出することができる。これによれば、押ボタン１１の上動復帰動作時に流動体を排出できるので、該上動復帰動作に無駄がない。
【００２２】
（３）請求項３の本発明の上記構成によれば、押ボタン１１を筒形部材１３と一体的に、前記所定位置（中間位置）の更に上方に設定した初期位置（上限位置）から該所定位置（中間位置）まで最初に所定の初期寸法だけ押し下げることにより、第１及び第２の室４１、４２の合計初期位置容積（Ｖ０）が合計所定位置（中間位置）容積（Ｖ１）になるまで大きくなって（Ｖ１＞Ｖ０）減圧されることにより、チップ６内に空気を任意容量（Ｖ１―Ｖ０）だけ予め吸引するので、続いて、上述の如く押ボタン１１が下限位置から今度は前記初期位置まで上動復帰したとき前記チップ６内の流動体を所定容量（Ｖ２―Ｖ１）に相当する量だけ排出した後に更に前記任意容量（Ｖ１―Ｖ０）の空気を排出し得、これによりチップ６下端に流動体が残留することなく液切れを良くすることができる。
【００２３】
（４）請求項５の本発明の上記構成によれば、上下動可能のプランジャ１７と固定のノズル部（シリンダに相当）５との間に、押ボタン１１と一体的に上下動し且つプランジャ１７及びノズル部５に共通に嵌合する筒形部材１３を設けて、該筒形部材１３及びノズル部５内部に夫々第１及び第２の室５１、５２を画定し、押ボタン１１を初期位置（上限位置）から所定位置（中間位置）まで、プランジャ１７を移動させないまま筒形部材１３と一体的に下動させたとき、第１及び第２の室５１、５２の合計初期位置（上限位置）容積（Ｖ３）が合計所定位置（中間位置）容積（Ｖ４）まで増大して（Ｖ４＞Ｖ３）その分減圧されることにより、チップ６内に流動体を所定容量（Ｖ４―Ｖ３）に相当する量だけ吸引することができる。これによれば、請求項１発明と同様に押ボタン１１を押し下げる動作のみにより流動体を吸引できるので、手動による吸引動作の微少調整を容易に且つ正確に行い得る。その他に請求項１発明と同様の効果がある。
【００２４】
（５）請求項６の本発明の上記構成によれば、押ボタン１１を前記所定位置（中間位置）から下限位置まで引き続き、今度は筒形部材１３のみならずプランジャ１７も一体的に下動させることにより、第１及び第２の室５１、５２の所定位置（中間位置）合計容積（Ｖ４）が下限位置合計容積（Ｖ５）まで減少して（Ｖ５＜Ｖ４）増圧されることにより、チップ６内の流動体および空気が所定容量（Ｖ４―Ｖ５）に相当する量だけ排出し得る。これによれば、一回の押し下げ動作により、流動体の吸引と排出を連続的に行うことができて動作を簡略化し得る。
【００２５】
（６）請求項８の本発明の上記構成によれば、固定の第１のプランジャ２７と固定のノズル部（シリンダに相当）５との間に、押ボタン１１と一体的に上下動し且つ第１のプランジャ２７及びノズル部５に共通に嵌合する筒形部材１３を設け、且つ該第１のプランジャ２７に上下動可能に嵌合する第２のプランジャ２８を設けて、該筒形部材１３、ノズル部５及び第１のプランジャ２７内部に夫々第１、第２及び第３の室６１、６２、６３を画定し、押ボタン１１を初期位置（上限位置）から所定位置（中間位置）まで、第１及び第２のプランジャ２７及び２８を移動させないまま筒形部材１３と一体的に下動させたとき、第１及び第２の室６１、６２の合計初期位置容積（Ｖ６）が合計所定位置容積（Ｖ７）まで容積が増大して（Ｖ７＞Ｖ６）減圧されることにより、チップ６内に流動体を所定容量（Ｖ７―Ｖ６）に相当する量だけ吸引し得る。これによれば、請求項１発明と同様に押ボタン１１を押し下げる動作のみにより流動体を吸引できるので、手動による吸引動作の微少調整を容易に且つ正確に行い得るし、その他の同様の効果がある。
【００２６】
（７）請求項９の本発明の上記構成によれば、押ボタン１１を前記所定位置（中間位置）から下限位置まで引き続き、今度は筒形部材１３のみならず第２プランジャ２８も一体的に下動させることにより、第１乃至第３の室６１、６２、６３の所定位置（中間位置）合計容積（Ｖ７）が下限位置合計容積（Ｖ８）まで容積が減少して（Ｖ８＜Ｖ７）増圧されることにより、チップ６内の流動体および空気を所定容量（Ｖ７―Ｖ８）に相当する量だけ排出し得る。
【図面の簡単な説明】
【００２７】
【図１】本発明になるピペットの第一実施形態の押ボタンの初期位置（上限位置）の縦断図である。
【図２】図１のピペットの押ボタンを初期位置（上限位置）から所定位置（中間位置）まで押し下げた状態の縦断図である。
【図３】図１のピペットの押ボタンを所定位置（中間位置）から下限位置まで押し下げた状態の縦断図である。
【図４】図１のピペットの押ボタンの初期位置状態の軸方向に切断した状態の斜視図である。
【図５】図４のピペットの押ボタン、筒形部材及びプランジャの軸方向に切断した状態の斜視図である。
【図６】図４のピペットの押ボタン、筒形部材及びプランジャの組立状態の斜視図である。
【図７】図４のピペットのプランジャの斜視図である。
【図８】本発明になるピペットの第二実施形態の押ボタンの初期位置の縦断図である。
【図９】図８のピペットの押ボタンを初期位置から所定位置まで押し下げた状態の縦断図である。
【図１０】図８のピペットの押ボタンを所定位置から下限位置まで押し下げた状態の縦断図である。
【図１１】図８のピペットの押ボタンの初期位置状態の軸方向に切断した状態の斜視図である。
【図１２】図１１のピペットの押ボタン、筒形部材及びプランジャの軸方向に切断した状態の斜視図である。
【図１３】図１１のピペットの押ボタン、筒形部材及びプランジャの組立状態の斜視図である。
【図１４】本発明になるピペットの第三実施形態の押ボタンの初期位置の縦断図である。
【図１５】図１４のピペットの押ボタンを初期位置から所定位置まで押し下げた状態の縦断図である。
【図１６】図１４のピペットの押ボタンを所定位置から下限位置まで押し下げた状態の縦断図である。
【発明を実施するための形態】
【００２８】
図１は、本発明になるピペットの第一実施形態の押ボタンの初期位置（上限位置）の縦断図である。
【００２９】
図１中、ピペット１の樹脂等よりなる筒形ボデー２は、上側ボデー３と、下側ボデー４と、ノズル部（この場合筒形部材１３の小径筒形部１３ｂに対するシリンダ部に相当する）５とを、例えば螺合により互いに固着してなり、ノズル部５下端にチップ６が着脱自在に装着される。
特にノズル部５は、吸引する液体が直接または雰囲気で接しやすいために、耐薬品性に優れたポリプロピレン樹脂やポリエーテルエーテルケトン樹脂などを全体または一部に形成すると良い。
【００３０】
７はプランジャで、筒形ボデー２内で、上端の３つの半径方向外方へ突出するアーム部７ａ（図７参照）が、筒形ボデー２の凹部２ａに係合して固着される。
【００３１】
８はリング形の位置規制部材で、第１のばね９により上方へ付勢される。
【００３２】
１０は、カップ形吸引容量調整部材で、上側ボデー３の上部内周に上下動調整自在に螺合している。
【００３３】
１１は押ボタンで、位置規制部材８を挿通するストッパ１１ａを有し、３本の連結ロッド１２（図６参照）を介して筒形部材１３に一体的に連結されており、位置規制部材８との間に介装した第２のばね１４により上方へ付勢される。押ボタン１１下端と位置規制部材８との間の離間寸法をａ１とし、ストッパー１１ａ下端とプランジャ７上端との離間寸法をｂ１とする（但し、ａ１＜ｂ１）。なお第１のばね９の方が第２のばね１４よりばね力が大きく、後述する中間位置においてもばね力の関係は同様である。
【００３４】
前記筒形部材１３は、上側大径筒形部１３ａ（内径ｄ１）と、下側小径筒形部１３ｂ（外径ｄ２、内径ｄ３）とを有し、筒形ボデー２内で、大径筒形部１３ａがプランジャ７外周にシール的に嵌合し、且つ小径筒形部１３ｂが下側ボデー４下部内周又はノズル部５内周にシール的に挿入される。このとき、筒形部材１３内部に室４１が画成され、且つノズル部５内部に室４２が画成される。
【００３５】
１５、１６はシール用Ｏリングで夫々、プランジャ７外周及びノズル部５内周に嵌合され、上側及び下側筒形部１３ａ及び１３ｂとの間のシールを形成する。
【００３６】
次に、図１のピペット１の操作について説明する。位置規制部材８が、第１のばね９により上方へ付勢されて、容量調整部材１０に当接しており、且つ押ボタン１１及び筒形部材１３は第２ばね１４により上方へ付勢されて、押ボタン１１が容量調整部材１０に当接しており、以下押ボタン１１及び筒形部材１３のこの図１の上限位置（初期位置）が空気吸引開始位置である。このとき、室４１の容積をＶ０１（図１中左上から右下へ伸びる斜め点線の空間）とし且つ室４２の容積をＶ０２（図１中右上から左下へ伸びる斜め点線の空間）とし、その合計容積をＶ０（＝Ｖ０１＋Ｖ０２）とする。
【００３７】
最初に、図１中、ピペット１（チップ６内には液体は未だ吸引されていない）のチップ６を液体に浸さない状態で、押ボタン１１を図１の初期位置（上限位置）から寸法ａ１だけ第２ばね１４に抗して押し下げて図２の位置規制部材８に当接する所定位置（中間位置；液体吸引開始位置）まで、下動させる。すると、固定プランジャ７に対して大径筒形部１３ａが寸法ａ１だけ下動するから室４１の容積はＶ０１（図１）からＶ１１（図２）まで容積｛（ｄ１／２）２π×ａ１｝だけ増大し、且つノズル部５内部に対して小径筒形部１３ｂが寸法ａ１だけ進入して、室４２の容積はＶ０２（図１）からＶ１２（図２）まで該小径筒形部１３ｂの肉厚部分が進入した容積、即ち、｛（ｄ２／２）２π−（ｄ３／２）２π｝×ａ１だけ減少する。
【００３８】
ここで、例えば寸法ａ１＝５ｍｍ、ｂ１＝２０ｍｍ、ｄ１＝１６ｍｍ、ｄ２＝１２ｍｍ、ｄ３＝６ｍｍとすると、
（１Ａ）室４１の容積の増大量（Ｖ１１−Ｖ０１）＝（ｄ１／２）２π×ａ１＝１００４．８ｍｍ３、
（１Ｂ）室４２の容積の減少量（Ｖ０２−Ｖ１２）＝｛（ｄ２／２）２π−（ｄ３／２）２π｝×ａ１＝４２３．９ｍｍ３、
（１Ｃ）室４１及び４２全体の容積の増大量ΔＶ１（＝Ｖ１−Ｖ０）＝（ｄ１／２）２π×ａ１−｛（ｄ２／２）２π−（ｄ３／２）２π｝×ａ１＝１００４．８−４２３．９＝５８０．９ｍｍ３、
即ち、室４１及び４２の合計容積は、初期位置（図１、上限位置；空気吸引開始位置）の合計容積Ｖ０（＝Ｖ０１＋Ｖ０２）から所定位置（図２、中間位置；液体吸引開始位置）の合計容積Ｖ１（＝Ｖ１１＋Ｖ１２）になるまで、容積がΔＶ１（＝Ｖ１−Ｖ０）だけ増大して（Ｖ１＞Ｖ０）室４１及び４２内がその分だけ減圧される。従って、室４１及び４２内に容積ΔＶ１＝５８０．９ｍｍ３だけの空気が吸引される。この吸引空気は、後にピペット１が液体を吸引した後に排出を完了したときに更に引き続いて前記吸引空気が排出されてチップ６内部に残留する液体を完全に排出する役割を果たす。
【００３９】
次に、図２中、ピペット１のチップ６下端を液体に浸した状態で、押ボタン１１を所定位置（図２、中間位置；液体吸引開始位置）から寸法（ｂ１―ａ１）だけ今度は第１及び第２ばね９及び１４に抗して押し下げて図３の如く、ストッパー１１ａがプランジャ７上端に当接する下限位置（液体吸引完了位置）まで下動させる。すると、固定プランジャ７に対して大径筒形部１３ａが更に寸法（ｂ１―ａ１）だけ下動するから室４１の容積はＶ１１（図２）からＶ２１（図３）まで容積（ｄ１／２）２π×（ｂ１―ａ１）だけ増大し（Ｖ２１＞Ｖ１１）、且つノズル部５内部に対して小径筒形部１３ｂが更に寸法（ｂ１―ａ１）だけ進入して、室４２の容積はＶ１２（図２）からＶ２２（図３）まで該小径筒形部１３ｂの肉厚部分が進入した容積、即ち、｛（ｄ２／２）２π−（ｄ３／２）２π｝×（ｂ１―ａ１）だけ減少する。（Ｖ２２＜Ｖ１２）
ここで、（ｂ１―ａ１）＝２０ｍｍ−５ｍｍ＝１５ｍｍであるから、
（２Ａ）室４１の容積の増大量（Ｖ２１−Ｖ１１）＝（ｄ１／２）２π×（ｂ１―ａ１）＝３０１４．４ｍｍ３、
（２Ｂ）室４２の容積の減少量（Ｖ２２−Ｖ１２）＝｛（ｄ２／２）２π−（ｄ３／２）２π｝×（ｂ１―ａ１）＝１２７１．７ｍｍ３、
（２Ｃ）室４１及び４２全体の容積の増大量ΔＶ２（＝Ｖ２−Ｖ１）＝（ｄ１／２）２π×（ｂ１―ａ１）−｛（ｄ２／２）２π−（ｄ３／２）２π｝×（ｂ１―ａ１）＝３０１４．４−１２７１．７＝１７４２．７ｍｍ３、
即ち、室４１及び４２の合計容積は、所定位置（図２、中間位置；液体吸引開始位置）の合計容積Ｖ１（＝Ｖ１１＋Ｖ１２）から下限位置（図３；吸引完了位置）の合計容積Ｖ２（＝Ｖ２１＋Ｖ２２）になるまで、容積がΔＶ２（＝Ｖ２−Ｖ１）だけ増大して（Ｖ２＞Ｖ１）、室４１及び４２内がその分だけ減圧される。このとき、チップ６内に液体が吸引される。この吸引された液体の重量を考慮した上で、外気圧と内部圧（室４１及び４２）が平衡を保つような量の液体がチップ６内に吸引されることになる。従って、チップ６内に容積ΔＶ２＝１７４２．７ｍｍ３を若干下回るだけの液体が吸引される。
【００４０】
次に、図３中、ピペット１のチップ６下端を液体から離して分注位置へ移動した状態で、押ボタン１１の押下げ力を解放すると、押ボタン１１は下限位置（図３）から寸法ａ１＋ｂ１だけ第１及び第２ばね９及び１４の付勢力により、図１の上限位置（初期位置）まで上動復帰するが、この動作を、押ボタン１１が下限位置（図３）から中間位置（図２；吸引直前位置）まで寸法ｂ１だけ上動復帰した第１段復帰動作と、続いて押ボタン１１が中間位置（図２；吸引直前位置）から上限位置（図１；空気吸引開始位置）まで寸法ａ１だけ上動復帰する第２段復帰動作とに分けて考える。なお、この第１段復帰動作と第２段復帰動作は、実際にはシームレスに連続して行われる。
【００４１】
まず、（下限位置から中間位置までの）第１段復帰動作において、室４１及び４２の容積は夫々、最初に中間位置（図２）から下限位置（図３）まで所定量だけ増大及び減少変化した状態に比して、同一の量だけ逆の変化、即ち、減少及び増大変化するはずである。即ち、
（３Ａ）室４１の容積の減少量（Ｖ２１−Ｖ１１）＝３０１４．４ｍｍ３、
（３Ｂ）室４２の容積の増大量（Ｖ２２−Ｖ１２）＝１２７１．７ｍｍ３、
（３Ｃ）室４１及び４２全体の容積の減少量ΔＶ２（＝Ｖ２−Ｖ１）＝１７４２．７ｍｍ３、
即ち、室４１及び４２の合計容積は、下限位置（図３）の合計容積Ｖ２（＝Ｖ２１＋Ｖ２２）から中間位置（図２）の合計容積Ｖ１になるまで、容積がΔＶ２だけ減少して室４１及び４２内がその分だけ増圧される。従って、チップ６内の液体は容積ΔＶ２＝１７４２．７ｍｍ３分だけ排出しようとする。しかしながら液体の表面張力や粘性または毛細管現象によっては、変化する容積分の液体を排出できずに残留する場合もある。
【００４２】
続いて、（中間位置から上限位置までの）第２段復帰動作において、室４１及び４２の容積は夫々、最初に上限位置（図１）から中間位置（図２）まで所定量だけ増大及び減少変化した状態に比して、同一の量だけ逆の変化、即ち、減少及び増大変化するはずである。即ち、
（４Ａ）室４１の容積の減少量（Ｖ１１−Ｖ０１）＝１００４．８ｍｍ３、
（４Ｂ）室４２の容積の増大量（Ｖ０２−Ｖ１２）＝４２３．９ｍｍ３、
（４Ｃ）室４１及び４２全体の容積の減少量ΔＶ１（＝Ｖ１−Ｖ０）＝５８０．９ｍｍ３、
即ち、室４１及び４２の合計容積は、中間位置（図２）の合計容積Ｖ１（＝Ｖ１１＋Ｖ１２）から上限位置（図１）の合計容積Ｖ０（＝Ｖ０１＋Ｖ０２）になるまで、容積がΔＶ１（＝Ｖ１−Ｖ０）だけ減少して室４１及び４２内がその分だけ増圧される。従って、室４１及び４２から容積ΔＶ１＝５８０．９ｍｍ３だけの空気が排出されて、チップ６内部に残留する液体を完全に排出することができる。
【００４３】
このピペット１において、容量調整部材１０を回転調整して、その軸方向位置を微調整すれば、上記寸法ｂ１を適宜変化させることが出来るから（寸法ａ１は、位置規制部材８が同様に移動することから調整は出来ない）、液体の吸引容量を適宜微調整できる。これについては、以下の第２及び第３のピペット２１，３１についても同様に寸法ｂ２及びｂ３を微調整することにより液体吸引容量を調整できる。
【００４４】
即ち、第１のピペット１では、押ボタン１１が初期位置から中間位置まで移動するときに空気を吸引し、次に該中間位置から下限位置まで移動するときに液体を吸引し、その後押ボタン１１が押し下げ力を解放されて該中間位置まで上動復帰するときに液体が排出され、更に押ボタン１１が該初期位置まで上動復帰するときにチップ６に残留した液体を排出する。
【００４５】
なお、第１のピペット１において、上記（１Ｃ）式の室４１及び４２全体の容積の増大量ΔＶ１（＝Ｖ１−Ｖ０）＝（ｄ１／２）２π×ａ１−｛（ｄ２／２）２π−（ｄ３／２）２π｝×ａ１＞０が成立する必要があり、これを簡略化すると次式が成立する必要がある。この式は、次に液体を吸引するときにも成立する。
【００４６】
ｄ１２＞ｄ２２−ｄ３２・・・・・（１）
次に、図８乃至図１３は、本発明のピペットの第２実施形態を示すが、図１と同一部分は同一符号を付してその説明を省略する。第１のピペット１ではプランジャ７はボデー２に固着されていたが、第２実施形態のピペット２１では、プランジャ１７は上下方向に可動であり、第１のばね９により上方へ付勢されてストッパー部１７ａが上側ボデー３の段部３ａに当接しており、また位置規制部材８（図１）は設けられていない。第２のばね１４は押ボタン１１及びプランジャ１７間に介装されて、押ボタン１１を上方へ付勢する。押ボタン１１下端と段部３ａとの間の離間寸法をａ２とし、ストッパー１１ａ下端とプランジャ７上端との離間寸法をｂ２とする（但し、ａ２＞ｂ２）。なお第１のばね９の方が第２のばね１４よりばね力が大きく、後述する中間位置においてもばね力の関係は同様である。
【００４７】
また筒形部材１３内部に室５１が画成され、且つノズル部５内部に室５２が画成される。大径筒形部１３ａの内径ｄ１（＝１６ｍｍ）、小径筒形部１３ｂの外径ｄ２（＝１２ｍｍ）は図１のピペット１と同様であるが、小径筒形部１３ｂの内径ｄ４はこの場合、４ｍｍである。
【００４８】
次に、図８のピペット２１の操作について説明する。プランジャ１７が第１のばね９により上方へ付勢されて段部３ａに当接し、且つ押ボタン１１が第２ばね１４により上方へ付勢されて容量調整部材１０に当接しており、このピペット２１では、図８の上限位置（初期位置）が液体吸引開始位置である。このとき、室５１の容積をＶ３１とし且つ室５２の容積をＶ３２とし、その合計容積をＶ３（＝Ｖ３１＋Ｖ３２）とする。
【００４９】
最初に、図８中、ピペット２１のチップ６を液体に浸した状態で、押ボタン１１を図８の上限位置（初期位置、液体吸引開始位置）から寸法ｂ２だけ第２ばね１４に抗して押し下げて図９の如く、押ボタン１１のストッパー１１ａがプランジャ１７に当接する所定位置（中間位置、液体吸引完了位置）まで、下動させる。すると、プランジャ１７に対して相対的に大径筒形部１３ａが寸法ｂ２だけ下動するから室５１の容積はＶ３１（図８）からＶ４１（図９）まで容積｛（ｄ１／２）２π×ｂ２｝だけ増大し（Ｖ４１＞Ｖ３１）、且つノズル部５内部に対して小径筒形部１３ｂが寸法ｂ２だけ進入して、室５２の容積はＶ３２（図８）からＶ４２（図９）まで該小径筒形部１３ｂの肉厚部分が進入した容積、即ち、｛（ｄ２／２）２π−（ｄ４／２）２π｝×ｂ２だけ減少する。（Ｖ４２＜Ｖ３２）
ここで、例えば寸法ａ２＝２３ｍｍ、ｂ２＝１０ｍｍ、ｄ１＝１６ｍｍ、ｄ２＝１２ｍｍ、ｄ４＝４ｍｍとすると、
（１ａ）室５１の容積の増大量（Ｖ４１−Ｖ３１）＝（ｄ１／２）２π×ｂ２＝２００９．６ｍｍ３、
（１ｂ）室５２の容積の減少量（Ｖ３２−Ｖ４２）＝｛（ｄ２／２）２π−（ｄ４／２）２π｝×ｂ２＝１００４．８ｍｍ３、
（１ｃ）室５１及び５２全体の容積の増大量ΔＶ４（＝Ｖ４−Ｖ３）＝（ｄ１／２）２π×ｂ２−｛（ｄ２／２）２π−（ｄ４／２）２π｝×ｂ２＝１００４．８ｍｍ３。
【００５０】
即ち、室５１及び５２の合計容積は、初期位置（図８、上限位置；液体吸引開始位置）の合計容積Ｖ３（＝Ｖ３１＋Ｖ３２）から所定位置（図９、中間位置；液体吸引完了位置）の合計容積Ｖ４（＝Ｖ４１＋Ｖ４２）になるまで、容積がΔＶ４（＝Ｖ４−Ｖ３）だけ増大して室４１及び４２内がその分だけ減圧される。このとき、チップ６内に液体が吸引される。この吸引された液体の重量を考慮した上で、外気圧と内部圧（室５１及び５２）が平衡を保つような量の液体がチップ６内に吸引されることになる。従って、チップ６内に容積ΔＶ４＝１００４．８ｍｍ３を若干下回るだけの液体が吸引される。
【００５１】
次に、図９中、押ボタン１１を所定位置（中間位置；液体吸引完了位置）から寸法（ａ２−ｂ２）だけ今度は第１及び第２ばね９及び１４に抗して押し下げて図１０の如く、押ボタン１１下端がボデー段部３ａに当接する下限位置（液体排出完了位置）まで寸法（ａ２−ｂ２）だけ下動させる。しかしながらこの間、プランジャ１７及び筒形部材１３（大径筒形部１３ａ）は押ボタン１１を介して一体的に下動するだけゆえ、中間位置（図９）における室５１の容積Ｖ４１は、下限位置（図１０）における室５１の容積Ｖ５１と同一のままである（Ｖ４１＝Ｖ５１）。一方この間、ノズル部５内部に対して小径筒形部１３ｂが更に寸法（ａ２−ｂ２）だけ進入して、室５２の容積はＶ４２（図９）からＶ５２（図１０）まで該小径筒形部１３ｂの肉厚部分が進入した容積、即ち、｛（ｄ２／２）２π−（ｄ４／２）２π｝×（ａ２−ｂ２）だけ減少する。
【００５２】
ここで、例えば寸法（ａ２−ｂ２）＝１３ｍｍであるから、
（２ａ）室５１の容積の変化量（Ｖ５１−Ｖ４１）＝ゼロ
（２ｂ）室５２の容積の減少量（Ｖ４２−Ｖ５２）＝｛（ｄ２／２）２π−（ｄ４／２）２π｝×（ａ２−ｂ２）＝１３０６．２４ｍｍ３、
（２ｃ）室５１及び５２全体の容積の減少量ΔＶ５（＝Ｖ５−Ｖ４）＝｛（ｄ２／２）２π−（ｄ４／２）２π｝×（ａ２−ｂ２）＝１３０６．２４ｍｍ３、
即ち、室５１及び５２の合計容積は、中間位置（図９；吸引完了位置）の合計容積Ｖ４（＝Ｖ４１＋Ｖ４２）から下限位置（図１０；排出完了位置）の合計容積Ｖ５（＝Ｖ５１＋Ｖ５２）になるまで、容積がΔＶ５（＝Ｖ４−Ｖ５）だけ減少して（Ｖ４＞Ｖ５）、室４１及び４２内がその分だけ増圧される。従って、チップ６から容積ΔＶ５＝１３０６．２４ｍｍ３だけの液体を排出しようとする。このとき吸引した容積ΔＶ４に対してΔＶ５が十分に大きいため、チップ６内の液体を完全に排出できることになる。
【００５３】
続いて、図１０中、ピペット２１の押ボタン１１の押下げ力を解放すると、押ボタン１１は下限位置（図１０）から寸法ａ２だけ第１及び第２ばね９及び１４の付勢力により、上限位置（図８）まで単に上動復帰する。
【００５４】
即ち、第２のピペット２１では、押ボタン１１が初期位置から中間位置まで移動するときに液体を吸引し、該中間位置から下限位置まで移動するときに液体を排出し、その後押ボタン１１の押し下げ力を解放すると押ボタン１１は単に上動復帰する。これによれば、一回の押し下げ動作により、液体の吸引と排出を連続的に行うことができて動作を簡略化し得る。
【００５５】
なお、この第２ピペット２１の筒形部材１３の小径筒形部１３ｂの内径ｄ４（＝４ｍｍ）が、第１ピペット１の筒形部材１３の小径筒形部１３ｂの内径ｄ２（＝６ｍｍ）より小さい理由は、その分だけ第２ピペット２１の小径筒形部１３ｂの肉厚を大きくして、液体排出時の排出量を大きくして、液体の排出を確実にしているのである。
【００５６】
なお、第２のピペット２１において、上記（１ｃ）式の室５１及び５２全体の容積の増大量ΔＶ４（＝Ｖ４−Ｖ３）＝（ｄ１／２）２π×ｂ２−｛（ｄ２／２）２π−（ｄ４／２）２π｝×ｂ２＞０が成立する必要があり、これを簡略化すると次式が成立する必要がある。
【００５７】
ｄ１２＞ｄ２２−ｄ４２・・・・・（２）
次に、図１４乃至図１６は、本発明のピペットの第３実施形態を示すが、図１及び図８と同一部分は同一符号を付してその説明を省略する。この第３実施形態のピペット３１では、一対のプランジャ２７及び２８が設けられ、第１のプランジャ２７は大径段孔２７ａ及び小径孔２７ｂを有してそのアーム部２７ｃによりボデー２に固定され、且つ第２のプランジャ２８は上下方向に可動であり第１のプランジャ２７との間に介装された第１のばね９により上方へ付勢されてボデー段部３ａに当接している。このとき、第２のプランジャ２８は第１のプランジャ２７の大径段孔２７ａにＯリング１８を介在してシール的に挿入される。押ボタン１１はボデー段部３ａとの間に介装した第２のばね１４により上方へ付勢される。押ボタン１１下端と段部３ａとの間の離間寸法をａ３とし、ストッパー１１ａ下端と第２のプランジャ２８上端との離間寸法をｂ３とする（但し、ａ３＞ｂ３）。なお第１のばね９の方が第２のばね１４よりばね力が大きく、後述する中間位置においてもばね力の関係は同様である。
【００５８】
これにより、筒形部材１３内部に室６１（容積Ｖ６１）が画成され、且つノズル部５内部に室６２（容積Ｖ６２）が画成され、且つ第１のプランジャ２７内部に室６３（容積Ｖ６３）が画成される。また、筒形部材１３の大径筒形部１３ａの内径ｄ５（＝１５ｍｍ）、小径筒形部１３ｂの外径ｄ２（＝１２ｍｍ）及び内径ｄ４（＝４ｍｍ）、第１プランジャ２７の大径段孔２７ａの内径ｄ６（＝１７ｍｍ）とする。
【００５９】
次に、図１４のピペット３１の操作について説明する。第２プランジャ２８が第１のばね９により上方へ付勢されて段部３ａに当接し、且つ押ボタン１１が第２ばね１４により上方へ付勢されて容量調整部材１０に当接しており、このピペット３１では、第２のピペット２１と同様に、図１４の上限位置が液体吸入開始位置である。このとき、室６１の容積Ｖ６１と室６２の容積Ｖ６２と室６３の容積Ｖ６３との合計容積Ｖ６（＝Ｖ６１＋Ｖ６２＋Ｖ６３）とする。
【００６０】
最初に、図１４中、ピペット３１のチップ６下端を液体に浸した状態で、押ボタン１１を図１４の初期位置（上限位置；液体吸引開始位置）から寸法ｂ３だけ第２ばね１４に抗して押し下げて図１５の如く、押ボタン１１のストッパー１１ａが第２のプランジャ２８に当接する所定位置（中間位置；液体吸引完了位置）まで、下動させる。すると、固定の第１のプランジャ２７に対して相対的に大径筒形部１３ａが寸法ｂ３だけ下動するから室６１の容積はＶ６１（図１４）からＶ７１（図１５）まで容積｛（ｄ５／２）２π×ｂ３｝だけ増大し、且つノズル部５内部に対して小径筒形部１３ｂが寸法ｂ３だけ進入して、室６２の容積はＶ６２（図１４）からＶ７２（図１５）まで該小径筒形部１３ｂの肉厚部分が進入した容積、即ち、｛（ｄ２／２）２π−（ｄ４／２）２π｝×ｂ３だけ減少する。また室６３の容積Ｖ６３（図１４）とＶ７３（図１５）とは、第２のプランジャ２８が移動しないため同一である。
【００６１】
ここで、例えば、寸法ａ３＝１６ｍｍ、ｂ３＝１０ｍｍ、且つ上記の如く、ｄ５＝１５ｍｍ、ｄ２＝１２ｍｍ、ｄ４＝４ｍｍ、ｄ６＝１７ｍｍとすると、
（１α）室６１の容積の増大量（Ｖ７１−Ｖ６１）＝（ｄ５／２）２π×ｂ３＝１７６６．２５ｍｍ３、
（１β）室６２の容積の減少量（Ｖ６２−Ｖ７２）＝｛（ｄ２／２）２π−（ｄ４／２）２π｝×ｂ３＝１００４．８ｍｍ３、
（１γ）室６３の容積と室７３との容積は同一である。即ち、Ｖ６３＝Ｖ７３、
（１δ）室６１乃至６３全体の容積の増大量ΔＶ６（＝Ｖ７−Ｖ６）＝（ｄ５／２）２π×ｂ３−｛（ｄ２／２）２π−（ｄ４／２）２π｝×ｂ３＝７６１．４５ｍｍ３、
即ち、室６１乃至６３の合計容積は、初期位置（図１４、上限位置；液体吸引開始位置）の合計容積Ｖ６（＝Ｖ６１＋Ｖ６２＋Ｖ６３）から所定位置（図１５、中間位置；液体吸引完了位置）の合計容積Ｖ７（＝Ｖ７１＋Ｖ７２＋Ｖ７３）になるまで、容積がΔＶ６（＝Ｖ７−Ｖ６）だけ増大して室６１乃至６３内がその分だけ減圧される。このとき、チップ６内に液体が吸引される。この吸引された液体の重量を考慮した上で、外気圧と内部圧（室６１乃至６３）が平衡を保つような量の液体がチップ６内に吸引されることになる。従って、チップ６内に容積ΔＶ６＝７６１．４５ｍｍ３を若干下回るだけの液体が吸引される。
【００６２】
次に、図１５中、ピペット３１を持ち上げてチップ６下端を液体から離した状態で、押ボタン１１を中間位置（図１５；吸引完了位置）から寸法（ａ３−ｂ３）だけ今度は第１及び第２ばね９及び１４に抗して押し下げて図１６の如く、押ボタン１１下端がボデー段部３ａに当接する下限位置（排出完了位置）まで寸法（ａ３−ｂ３＝６ｍｍ）だけ下動させる。すると、固定の第１のプランジャ２７に対して相対的に大径筒形部１３ａが更に寸法（ａ３−ｂ３）だけ下動するから室６１の容積はＶ７１（図１５）からＶ８１（図１６）まで容積（ｄ５／２）２π×（ａ３−ｂ３）だけ増大し、且つノズル部５内部に対して小径筒形部１３ｂが更に寸法（ａ３−ｂ３）だけ進入して、室６２の容積はＶ７２（図１５）からＶ８２（図１６）まで該小径筒形部１３ｂの肉厚部分が進入した容積、即ち、｛（ｄ２／２）２π−（ｄ４／２）２π｝×（ａ３−ｂ３）だけ減少する。他方、室６３については、第２のプランジャ２８が第１のプランジャ２７の大径段孔２７ａ内で下方へ寸法（ａ３−ｂ３）だけ進入するから、室６３の容積Ｖ７３（図１５）は容積Ｖ８３（図１６）になるまで、第２のプランジャ２８が進入した容積、即ち、（ｄ６／２）２π）×（ａ３−ｂ３）だけ減少する。従って、この場合の室６１乃至６３の容積変動は次のようになる。
【００６３】
（２α）室６１の容積の増大量（Ｖ８１−Ｖ７１）＝（ｄ５／２）２π×（ａ３−ｂ３）＝１０５９．７５ｍｍ３、
（２β）室６２の容積の減少量（Ｖ７２−Ｖ８２）＝｛（ｄ２／２）２π−（ｄ４／２）２π｝×（ａ３−ｂ３）＝６０２．８８ｍｍ３、
（２γ）室６３の容積の減少量（Ｖ７３−Ｖ８３）＝（ｄ６／２）２π×（ａ３−ｂ３）＝１３６１．１９ｍｍ３
（２δ）室６１乃至６３全体の容積の減少量ΔＶ７（＝Ｖ７−Ｖ８）＝−（ｄ５／２）２π×（ａ３−ｂ３）＋｛（ｄ２／２）２π−（ｄ４／２）２π｝×（ａ３−ｂ３）＋（ｄ６／２）２π×（ａ３−ｂ３）＝８４９．３７ｍｍ３、
即ち、室６１乃至６３の合計容積は、中間位置（図１５；液体吸引完了位置）の合計容積Ｖ７（＝Ｖ７１＋Ｖ７２＋Ｖ７３）から下限位置（図１６；液体排出完了位置）の合計容積Ｖ８（＝Ｖ８１＋Ｖ８２＋Ｖ８３）になるまで、容積がΔＶ７（＝Ｖ７−Ｖ８）だけ減少して（Ｖ８＜Ｖ７）、室６１乃至６３内がその分だけ増圧される。従って、チップ６から容積ΔＶ７＝８４９．３７ｍｍ３だけの液体を排出しようとする。このとき吸引した容積ΔＶ６に対してΔＶ７が十分に大きいため、チップ６内の液体を完全に排出できることになる。
【００６４】
続いて、図１６中、ピペット３１の押ボタン１１の押下げ力を解放すると、押ボタン１１は下限位置（図１６）から寸法ａ３だけ第１及び第２ばね９及び１４の付勢力により、上限位置（図１４）まで単に上動復帰する。
【００６５】
即ち、第３のピペット３１では、第２のピペット２１と同様に、押ボタン１１が初期位置から中間位置まで移動するときに液体を吸引し、該中間位置から下限位置まで移動するときに液体を排出し、その後押ボタン１１の押し下げ力を解放すると押ボタン１１は単に上動復帰する。これによれば、一回の押し下げ動作により、液体の吸引と排出を連続的に行うことができて動作を簡略化し得る。
【００６６】
しかしながら、この第３のピペット３１によれば、大径段孔２７ａの内径ｄ６を比較的大きな寸法（この場合８．５ｍｍ）に設定できるので、第２のプランジャ２８が図１５の位置からから図１６の位置まで寸法（ａ３−ｂ３）だけ下動したときに室６３がｄ６×（ａ３−ｂ３）という比較的大きな容積分だけ容積が減少するので、それだけ液体の排出量を増大させ得る。また大径段孔２７ａの内径ｄ６が比較的大きな寸法（８．５ｍｍ）であるため、第２のピペット２１では図９から図１０まで液体を排出するときに（ａ２−ｂ２）＝１３ｍｍという比較的大きな寸法だけ押ボタン１１を下動させる必要があったものに比して、第３のピペット３１では図１５から図１６まで寸法（ａ３−ｂ３）＝６ｍｍという比較的小さな寸法だけ下動させるのみで良いからその分押し下げストロークを小さくでき、操作が楽である。
【００６７】
なお、第３のピペット３１において、上記（１δ）式の室６１乃至６３全体の容積の増大量ΔＶ６（＝Ｖ７−Ｖ６）＝（ｄ５／２）２π×ｂ３−｛（ｄ２／２）２π−（ｄ４／２）２π｝×ｂ３＞０が成立する必要があり、これを簡略化すると次式が成立する必要がある。
【００６８】
ｄ５２＞ｄ２２−ｄ４２・・・・・（３Ａ）
他方、第３のピペット３１において、上記（２δ）式の室６１乃至６３全体の容積の減少量ΔＶ７（＝Ｖ７−Ｖ８）＝−（ｄ５／２）２π×（ａ３−ｂ３）＋｛（ｄ２／２）２π−（ｄ４／２）２π｝×（ａ３−ｂ３）＋（ｄ６／２）２π×（ａ３−ｂ３）＞０が成立する必要があり、これを簡略化すると次式が成立する必要がある。
【００６９】
ｄ６２＋ｄ２２−ｄ４２＞ｄ５２・・・・・（３Ｂ）
従って、上記（３Ａ）式及び（３Ｂ）式を合わせると次式が成立する必要がある。
【００７０】
ｄ６２＋ｄ２２−ｄ４２＞ｄ５２＞ｄ２２−ｄ４２・・・・・（３）
上記各実施形態では、ピペットが吸引する媒体は液体であったが、これに限らずゲル状物体、又は粉体等の種々の流動体を吸引し得る。
【符号の説明】
【００７１】
１、２１、３１  ピペット
２  ボデー
５  ノズル部
６  チップ
７  固定プランジャ
８  位置規制部材
９、１４  ばね
１０  容量調整部材
１１  押ボタン
１１ａ  ストッパー
１２  連結ロッド
１３  筒形部材
１３ａ  第１筒形部
１３ｂ  第２筒形部
１５、１６、１８  Ｏリング
１７  可動プランジャ
２７  第１の固定プランジャ
２７ａ  大径段孔
２８  第２の可動プランジャ
４１、５１、６１  第１の室
４２、５２、６２  第２の室
６３  第３の室
【図１】
2011000490.tif 000003
【図２】
2011000490.tif 000004
【図３】
2011000490.tif 000005
【図４】
2011000490.tif 000006
【図５】
2011000490.tif 000007
【図６】
2011000490.tif 000008
【図７】
2011000490.tif 000009
【図８】
2011000490.tif 000010
【図９】
2011000490.tif 000011
【図１０】
2011000490.tif 000012
【図１１】
2011000490.tif 000013
【図１２】
2011000490.tif 000014
【図１３】
2011000490.tif 000015
【図１４】
2011000490.tif 000016
【図１５】
2011000490.tif 000017
【図１６】
2011000490.tif 000018